(57)【要約】【課題】ストラップを光らせる発光体及び電源を該ストラップに持たせないようにすることができる携帯端末を提供する。【解決手段】本発明は、携帯端末１の筐体の一部にストラップ固定部２が設けられた携帯端末に係わる。ストラップ固定部２に取付けられるストラップワイヤ６が光を導光できる材料からなり、本発明の携帯端末１は、該ストラップワイヤ６を発光させるための光源４を携帯端末１の筐体内に備えている。【選択図】図１
2014053799.tif 000002
【特許請求の範囲】
【請求項１】
携帯端末の筐体の一部にストラップ固定部が設けられた携帯端末において、
前記ストラップ固定部に取付けられるストラップワイヤが光を導光できる材料からなり、該ストラップワイヤを発光させるための光源を前記携帯端末の筐体内に備えたことを特徴とする携帯端末。
【請求項２】
前記ストラップ固定部は前記ストラップワイヤが挿通する開口を有し、該開口における前記ストラップワイヤの横断面に対して前記光源からの光が入光するように前記光源が設置されていることを特徴とする請求項１に記載の携帯端末。
【請求項３】
前記ストラップ固定部は、前記筐体の内壁にトンネル状穴を形成する周囲壁を設け、かつ該トンネル状穴の一端側の開口と他端側の開口を前記筐体の壁に開けることにより、前記トンネル状穴に前記ストラップワイヤを通せるようにした構造を有し、
該開口における前記ストラップワイヤの横断面に対して前記光源からの光が入光するように前記光源が設置されていることを特徴とする請求項１に記載の携帯端末。
【請求項４】
前記筐体の内側であって前記周囲壁の外側に前記光源が設置されており、前記周囲壁に前記光源からの光を通す穴が形成されていることを特徴とする請求項３に記載の携帯端末。
【請求項５】
前記周囲壁の前記穴を塞ぐ防水部品を有し、該防水部品が光を透過できる材料からなることを特徴とする請求項４に記載の携帯端末。
【請求項６】
前記防水部品は前記穴に進入して合致する凸部を有することを特徴とする請求項５に記載の携帯端末。
【請求項７】
前記筐体の内側であって前記周囲壁の外側に前記光源が設置されており、少なくとも前記周囲壁が光を透過できる材料で形成されていることを特徴とする請求項３に記載の携帯端末。
【請求項８】
２つの前記光源が前記トンネル状穴の一端側の開口と他端側の開口に対応して設置されていることを特徴とする請求項３から７のいずれか１項に記載の携帯端末。
【請求項９】
前記光源が紫外線ＬＥＤであり、前記ストラップワイヤが、紫外線で励起する蛍光体を含んだ透光性を有する材料で作られていることを特徴とする請求項１から８のいずれか１項に記載の携帯端末。
【請求項１０】
請求項１から９のいずれか１項に記載の携帯端末の前記ストラップ固定部に固定することで、前記光源からの光を導光して光ることができる材料で作られたストラップワイヤ。
【請求項１１】
前記材料が紫外線で励起する蛍光体を含んだ透光性を有する材料である請求項１０に記載のストラップワイヤ。
【請求項１２】
請求項１から９のいずれか１項に記載の携帯端末の前記ストラップ固定部に固定することで、前記光源からの光を導光して光ることができる材料で作られたストラップワイヤと、該ストラップワイヤに取付けられ、該ストラップワイヤからの光を導光して光ることができる材料で作られたアクセサリとを備えた、アクセサリ付きストラップワイヤ。
【請求項１３】
前記ストラップワイヤおよび前記アクセサリの材料が紫外線で励起する蛍光体を含んだ透光性を有する材料である請求項１２に記載のアクセサリ付きストラップワイヤ。
【発明の詳細な説明】
【技術分野】
【０００１】
本発明は、ストラップワイヤを取付け固定できるストラップ固定部を備えた携帯端末、該携帯端末に固定されるストラップワイヤ及びアクセサリ付ストラップワイヤに関する。
【背景技術】
【０００２】
図９（ａ）に示すように携帯端末１の筐体端面にはストラップ固定部２が設けられており、このストラップ固定部２にはユーザが携帯端末１を落とさないようにストラップワイヤ６を取付けることが一般化している。また携帯端末のストラップをアクセサリとして利用するため、ストラップワイヤ６にアクセサリ部７を付ける需要も多い。尚、ストラップ固定部２は、図９（ｂ）に示すように、携帯端末１の筐体端面にストラップワイヤ６を通すためのトンネル状の穴が形成された構造を持つ。
【先行技術文献】
【特許文献】
【０００３】
【特許文献１】特開平10-290482号公報
【特許文献２】特開2000-134294号公報
【特許文献３】特開2001-231624号公報
【発明の概要】
【発明が解決しようとする課題】
【０００４】
従来の携帯端末用ストラップは光源を持たず、光らないものがほとんどであるが、中には電源と光源を持ち発光するものもある。
【０００５】
ストラップの発光が携帯端末の着信や充電などの状態に連動することは、非常に見やすい装置状態のインジケータとなり、またイルミネーションとしての効果が高まる。
【０００６】
しかし特許文献１〜３のいずれの発明も、携帯電話のストラップに発光体と該発光体の制御回路を備え、該ストラップに付属した制御回路が、携帯電話が出す電磁波や音、光に基づき該ストラップ側の発光体を光らせるものである。ストラップ側に発光体や電源を備えるためストラップが高価なものになる。またストラップ側の電源が電力不足に陥ると、携帯電話が動作する状態であっても携帯電話の状態を確認することができなくなる。
【０００７】
本発明は、上述した課題に鑑みてなされたものであり、ストラップを光らせる発光体及び電源を該ストラップに持たせないようにすることができる携帯端末を提供することにある。
【課題を解決するための手段】
【０００８】
本発明の一態様は、携帯端末の筐体の一部にストラップ固定部が設けられた携帯端末に係わるものである。該ストラップ固定部に取付けられるストラップワイヤは光を導光できる材料からなり、本発明態様は、該ストラップワイヤを発光させるための光源を携帯端末の筐体内に備えている。
【発明の効果】
【０００９】
本発明によれば、携帯端末側で制御できる光源によりストラップワイヤが光るため、携帯端末の受信や充電などの状態をストラップワイヤの光り方でユーザに報知することができ、またイルミネーションとしての効果も高まる。
【００１０】
さらに、ストラップワイヤに光源や電源を具備していないので、光るストラップを安価に実現できる。ストラップワイヤの発光を携帯端末内の制御部で駆動するため、携帯端末が動作する状態であれば、ストラップワイヤを光らせて携帯端末の状態をユーザに知らせることができる。
【図面の簡単な説明】
【００１１】
【図１】本発明の一実施形態による携帯端末の模式図。
【図２】図１のストラップ固定部の断面構造を示した部分断面図。
【図３】一実施形態による携帯端末のストラップを発光させる光の進み方を示した図。
【図４】その他の実施形態による携帯端末のストラップ固定部の断面構造を示した部分断面図。
【図５】図４の防水透明板の変形例を示した部分断面図。
【図６】その他の実施形態による携帯端末のストラップ固定部の断面構造を示した部分断面図。
【図７】その他の実施形態による携帯端末のストラップ固定部の断面構造を示した部分断面図。
【図８】その他の実施形態による携帯端末のストラップ固定部の断面構造を示した部分断面図。
【図９】（ａ）は従来技術による携帯端末の模式図、（ｂ）は従来のストラップ固定部の断面構造を示した部分断面図。
【発明を実施するための形態】
【００１２】
以下、本発明の実施の形態について図面を参照して説明する。参照する図面において、図９に示した従来の携帯端末の構成要素と同じ要素には同一の符号を付してある。
【００１３】
図１は本発明の一実施形態による携帯端末の模式図であり、図２は図１のストラップ固定部の断面構造を示した部分断面図である。
【００１４】
図１に示すように、携帯端末１の筐体の一部にはストラップ固定部２が構成されており、ストラップ固定部２には、アクセサリ部７が付いたストラップワイヤ６が取り付けられている。
【００１５】
ストラップワイヤ６およびアクセサリ部７は光を導光できる透明もしくは半透明の樹脂（ナイロン、ポリエチレン等）で形成されている。
【００１６】
さらに携帯端末１の筐体内には、ストラップ固定部２に固定されたストラップワイヤ６に光を出射する光源４が設置され、かつ、光源４の輝度や発光パターンなどを制御する制御部５が設置されている。また、制御部５は光源４の輝度や発光パターンなどを携帯電話の着信や充電などの状態に連動させる。
【００１７】
ストラップ固定部２は、図２に示すように、携帯端末１の筐体壁１ａの内側（内壁）にトンネル状の穴２ａを形成する周囲壁１ｂを設け、かつ筐体壁１ａにトンネル状穴２ａの一端側の開口２ｂと他端側の開口２ｃを開けることにより、トンネル状穴２ａにストラップワイヤ６を通して取付けられる構造を持つ。そしてトンネル状穴２ａの周囲壁１ｂに光源穴３が開けられている。光源４は、携帯端末１の内側であってトンネル状穴２ａの周囲壁１ｂの外側に設置されており、光源４から発せられた光は、光源穴３を通ってトンネル状穴２ａに入光する。
【００１８】
光源４はＬＥＤが最適であるが、小型電球、レーザー、ＥＬ素子などの別の種類の光源でも可能である。また、紫外線ＬＥＤを光源４に使用し、ストラップワイヤ６およびアクセサリ部７の素材を、紫外線で励起する蛍光体を含んだ透明樹脂もしくは半透明樹脂にすることも可能である。この方式によると、ストラップワイヤ６およびアクセサリ部７を、該蛍光体を含まない樹脂製のものと比べて高い輝度で発光させることが出来る。
【００１９】
図３を参照すると、光源４が発する光は、光源穴３を通って、ストラップ固定部２に固定されたストラップワイヤ６に達する。図３中の矢印Ｘは光の進む方向を示す。さらに、ストラップワイヤ６及びアクセサリ部７の素材は透光性を有するものとしたので、ストラップワイヤ６に達した光はストラップワイヤ６内を進行しながらストラップワイヤ６を光らせ、さらには、ストラップワイヤ６に付属するアクセサリ部７も光らせる。
【００２０】
ここで、光源４が発する光を効率よくストラップワイヤ６内に入光させるために、光源４及び光源穴３がストラップワイヤ６の横断面に対して直交する方向に沿って配置されていることが望ましい。本実施形態では、携帯端末１の筐体の内壁にトンネル状穴２ａを形成する周囲壁１ｂを設け、筐体壁ａにトンネル状穴２ａの開口２ｂと開口２ｃを開けることにより、ストラップ固定部２が構成されている。このため、開口２ｂ（又は開口２ｃ）に位置する部分のストラップワイヤ６の横断面に対して光源４の光が確実に入光すれば、ストラップワイヤ６の発光に光源４の光を効率よく使用できる。したがって、開口２ｂ（又は開口２ｃ）と光源穴３とを光源４の光の進光方向Ｘに沿って配置することが望ましい。
【００２１】
上記実施形態によれば、携帯端末１内の制御部５で制御された光源４によりストラップワイヤ６が光るため、携帯端末１の受信や充電などの状態をストラップの光り方でユーザが確認することが出来、またイルミネーションとしての効果が高まる。
【００２２】
さらに、ストラップワイヤ６側に光源や電源を具備していないので、光るストラップワイヤを安価に実現できる。ストラップワイヤ６の発光を携帯端末１内の制御部５で駆動するため、携帯端末１が動作する状態であれば、ストラップワイヤ６を光らせて携帯端末１の状態をユーザに知らせることができる。
【００２３】
［その他の実施形態］
また上記実施形態は、以下に挙げる種々の構成を採用することができる。
【００２４】
光源４は単色以外に、ＲＧＢの３色としても良い。３色の各輝度を制御部５で制御することにより、自由な色での発光が可能となる。
【００２５】
防水構造を持った携帯端末の場合は、図４に示すようにストラップワイヤ６を通しているトンネル状穴２ａの周囲壁１ｂに設けた光源穴３を、透明材料などの透光性を有する材料からなる防水部品で塞ぐことが好ましい。そのため、周囲壁１ｂの外側面に光源穴３を取り囲むように接着材９が塗布され、接着材９を用いて防水透明板８が周囲壁１ｂに接着される。接着材９としては両面テープ、液状シール材などを選択でき、あるいは、溶着工法によって防水透明板８を周囲壁１ｂに接着してもよい。
【００２６】
さらに、図５に示すように、上記防水透明板８の一部を光源穴４に進入して合致する形状（凸形状）とすることで、光源４の光を効率よくストラップワイヤ６に導光することができる。
【００２７】
さらに、図６に示すように、ストラップワイヤ６を通しているトンネル状穴２ａの周囲壁１ｂは光源穴３を持たず、透明材料などの透光性を有する材料で形成されていても良い。この場合は光源穴３がなくなるため、図４及び図５に示したような特別な防水構造が不要となる。勿論、周囲壁１ｂだけでなく携帯端末筐体の壁全体を透明材料などの透光性を有する材料で形成してもよい。
【００２８】
また上記実施形態では、ストラップ固定部２は携帯端末１の一つの筐体端面に設けられているが、図７に示すように携帯端末１の角部に在っても良い。この場合、ストラップワイヤ６を通すためのトンネル状穴２ａの両端の開口（開口２ｂ，２ｃ）は、携帯端末１の角部を成す２つの筐体端面にそれぞれ設けられる。図７の構成例においても、携帯端末１内の光源４の光が光源穴３を通って、トンネル状穴２ａに取付けられたストラップワイヤ６に入光する点は上記実施形態と同じである。
【００２９】
また上記実施形態では、ストラップワイヤ６を光らせるための光源４が携帯端末１内に一つであったが、２つ以上配置されていても良い。図８に示すように、携帯端末１の筐体の内側に２つの光源４，１０が配置され、ストラップワイヤ６を通すトンネル状穴２ａの周囲壁１ａには、光源４，１０それぞれに対応して光源穴３が形成されている。この構成では、光源４に対応する光源穴３とトンネル状穴１ａの一端側の開口２ｂとを光源４の光の進光方向に沿って配置し、かつ、光源１０に対応する光源穴３とトンネル状穴１ａの他端側の開口２ｃとを光源１０の光の進光方向に沿って配置することが望ましい。これにより、トンネル状穴１ａの両開口２ｂ，２ｃそれぞれに位置する部分のストラップワイヤ６の横断面に対して光源４，１０それぞれの光が確実に入光するようになる。
【００３０】
尚、以上に説明した各実施形態の携帯端末は、携帯電話、スマートホン、タブレット端末などに応用することができる。
【符号の説明】
【００３１】
１    携帯端末
１ａ    筐体壁
２    ストラップ固定部
２ａ    トンネル状穴
２ｂ    トンネル状穴の一端側の開口
２ｃ    トンネル状穴の他端側の開口
３    光源穴
４、１０    光源
５    制御部
６    ストラップワイヤ
７    アクセサリ部
８    防水透明板
９    接着材
【図１】
2014053799.tif 000003
【図２】
2014053799.tif 000004
【図３】
2014053799.tif 000005
【図４】
2014053799.tif 000006
【図５】
2014053799.tif 000007
【図６】
2014053799.tif 000008
【図７】
2014053799.tif 000009
【図８】
2014053799.tif 000010
【図９】
2014053799.tif 000011